(57)【要約】【課題】停電が復旧して電源が再投入された際、装置本体にダメージを与える可能性を低減することができる電子機器を提供する。【解決手段】停電検知部２０３は、停電が発生したことを検知すると（ステップＳ１０１）、ＥＥＰＲＯＭ２０８に停電発生フラグを立てる。ＣＰＵ２０１は、ＥＥＰＲＯＭ２０８に記憶された情報を用いて過去１０分間の停電発生回数が５回を超えたか否か判定する（ステップＳ１０４）。そして、停電発生頻度が所定の閾値を超えた場合、ＣＰＵ２０１は、ＥＥＰＲＯＭ２０８に記憶された自動復帰機能フラグを無効にし（ステップＳ１０５）、その後、自動復帰機能フラグを無効にした旨をＵＩ１２６に表示してユーザに報知する（ステップＳ２０６）。【選択図】      図３
2019139492.tif 000002
【特許請求の範囲】
【請求項１】
商用電源からの電力の供給を受けて動作する電子機器であって、
電力の供給が遮断されたことを検知する停電検知手段と、
停電が発生する前に前記電子機器が起動していた場合、停電が復旧した際、停止した前記電子機器をユーザの操作を介することなく復帰させる復帰手段と、
前記復帰手段を制御する制御手段と、
を有し、
前記制御手段は、前記停電検知手段の検知結果の履歴に係わる情報に基づいて、停電が復旧した際、前記復帰手段を制御して前記停止した前記電子機器をユーザの操作を介することなく復帰させるか否かを切り替えることを特徴とする電子機器。
【請求項２】
前記制御手段は、前記履歴を表す情報に基づく停電の発生頻度が所定の閾値を超えた場合、停電が復旧しても前記電子機器を自動復帰させないことを特徴とする請求項１記載の電子機器。
【請求項３】
前記制御手段は、前記履歴を表す情報に基づく停電の発生頻度が所定の閾値以下である場合、停電が復旧した際、前記復帰手段を制御して前記停止した電子機器を復帰させることを特徴とする請求項１又は２記載の電子機器。
【請求項４】
前記制御手段は、前記履歴を表す情報に基づく停電の発生頻度が所定の閾値を超えたか否かの判定を停電が発生した際に行うことを特徴とする請求項２又は３記載の電子機器。
【請求項５】
前記制御手段は、前記履歴を表す情報に基づく停電の発生頻度が所定の閾値を超えたか否かの判定を停電発生後、当該停電が復旧した際に行うことを特徴とする請求項２又は３記載の電子機器。
【請求項６】
前記復帰手段は、停電時、電子機器が動作状態又はスリープ状態であっても、停電が復旧した際、スタンバイ状態で復帰させることを特徴とする請求項３記載の電子機器。
【請求項７】
前記停電検知手段の検知結果を記憶する記憶手段を有し、
前記停電検知手段は、停電を検知した際、前記記憶手段に停電が発生したことを記録し、
前記制御手段は、前記記憶手段に記憶された情報を用いて前記停電の発生頻度を求めることを特徴とする請求項１乃至６のいずれか１項に記載の電子機器。
【請求項８】
ユーザに情報を報知する表示手段を有し、
前記制御手段は、停電が復旧しても前記電子機器をユーザの操作を介することなく復帰させない場合、前記表示手段に、停電が復旧しても電子機器を自動復帰させない旨のメッセージを表示することを特徴とする請求項１乃至７のいずれか１項に記載の電子機器。
【請求項９】
前記停電検知手段は、電子機器のメインスイッチがオフであっても当該電子機器に供給される直流電源が所定の閾値よりも低くなったことによって、停電を検知することを特徴とする請求項１乃至８の何れか１項に記載の電子機器。
【請求項１０】
前記電子機器は、シートに画像を形成する画像形成手段を有することを特徴とする請求項１乃至９の何れか１項に記載の電子機器。
【発明の詳細な説明】
【技術分野】
【０００１】
本発明は、電子写真プロセス方式を採用した複写機、プリンターをはじめとする電子機器に関する。
【背景技術】
【０００２】
従来から、電子機器としての、例えば、画像形成装置においては、停電した商用電源が復旧した場合、ユーザの操作を介することなく停電前の電源スイッチ（電源ＳＷ）の状態に応じた電源状態に自動的に復帰させる制御が実施されている。この場合、電源ＳＷとして、状態を保持できるシーソースイッチが使用されており、電源ＳＷがオン状態のまま停電した場合は、常に電源オン状態に自動復帰させるという制御が行われている。
【０００３】
ところで、画像形成装置における電源再投入方法に関する先行技術文献として、特許文献１が挙げられる。特許文献１には、電源スイッチをオフした後、再度電源スイッチをオンにしても所定時間内は電源の再投入を禁止することによって、画像形成装置自体の異常動作を回避する技術が開示されている。
【先行技術文献】
【特許文献】
【０００４】
【特許文献１】特開２００２−１０８５１２号公報
【発明の概要】
【発明が解決しようとする課題】
【０００５】
しかしながら、停電が復旧した際、一旦切断された電源が自動で復旧する構成では、例えば、新興国のような電源事情があまり良くなく、何回も停電を繰り返す地域においては、電源の遮断と復旧が短時間に複数回繰り返えされる。これでは、画像形成装置の構成部品である、例えばハードディスク（ＨＤＤ）などの構成機器にダメージを与える可能性が大きくなる。また、電源が復旧される毎に、色ずれ調整や濃度調整などの調整動作を含む画像形成を可能にするための準備動作が実行されてしまい、装置部品の寿命を短くしてしまう虞がある。
【０００６】
また、上述の特許文献１に記載の技術では、停電のような予期しない電源の遮断については何ら考慮されておらず、電源が復旧した際、画像形成装置が自動復帰するか否かも不明である。これでは、ＦＡＸを受信する等ために常に電源を入れておきたいというユーザの要求を満たすことができない。
【０００７】
本発明は、停電が復旧して電源が再投入された際、装置本体にダメージを与える可能性を低減することができ、しかも、ユーザにとって使い勝手がよい電子機器を提供することを目的とする。
【課題を解決するための手段】
【０００８】
上記目的を達成するために、請求項１記載の電子機器は、商用電源からの電力の供給を受けて動作する電子機器であって、電力の供給が遮断されたことを検知する停電検知手段と、停電が発生する前に前記電子機器が起動していた場合、停電が復旧した際、停止した前記電子機器をユーザの操作を介することなく復帰させる復帰手段と、前記復帰手段を制御する制御手段と、を有し、前記制御手段は、前記停電検知手段の検知結果の履歴に係わる情報に基づいて、停電が復旧した際、前記復帰手段を制御して前記停止した前記電子機器をユーザの操作を介することなく復帰させるか否かを切り替えることを特徴とする。
【発明の効果】
【０００９】
本発明によれば、停電が復旧して電源が再投入された際、停電検知手段の検知結果に応じて電源を自動復帰させるか否かを切り替える。これによって、停電する頻度が高い場合は電子機器を自動復帰させないようにすることによって、ユーザにとって使い勝手のよさを保持しつつ、停電復旧時に機器本体に与えるダメージを低減することができる。
【図面の簡単な説明】
【００１０】
【図１】実施の形態に係る画像形成装置の概略構成を示す断面図である。
【図２】図１の画像形成装置の制御構成を示すブロック図である。
【図３】図１の画像形成装置で実行される第１の停電発生処理の手順を示すフローチャートである。
【図４】通電断時刻と停電発生フラグ及び自動復帰機能フラグとの関係を示す図である。
【図５】画像形成装置における停電発生時の装置状態と、停電復旧時の装置状態を比較して示す図である。
【図６】停電時及び停電復旧時の停電検知部の動作を示すタイミングチャートである。
【図７】図１の画像形成装置で実行される第１の停電復旧処理の手順を示すフローチャートである。
【図８】第２の実施の形態で実行される第２の停電発生処理の手順を示すフローチャートである。
【図９】第２の実施の形態で実行される第２の停電復旧処理の手順を示すフローチャートである。
【発明を実施するための形態】
【００１１】
以下、実施の形態について、図面を参照しつつ詳細に説明する。
【実施例１】
【００１２】
図１は、実施の形態に係る画像形成装置の概略構成を示す断面図である。
【００１３】
図１において、電子機器としての画像形成装置１００は、一定の間隔をおいて略水平に配置された４つのプロセスカートリッジ１０３Ｙ、１０３Ｍ、１０３Ｃ、１０３Ｋを備えている。プロセスカートリッジ１０３Ｙ〜Ｋは、装置本体に対して着脱自在に構成されており、それぞれイエロー色、マゼンタ色、シアン色、ブラック色の画像を形成する。
【００１４】
各プロセスカートリッジ１０３Ｙ〜Ｋは、それぞれ像担持体としての感光体ドラム１０４Ｙ〜Ｋを備えている。感光体ドラム１０４Ｙ〜Ｋは、負帯電のＯＰＣ感光体からなりアルミニウム製のドラム基体上に光導電層を有しており、駆動装置（図示省略）によって所定のプロセススピードで回転駆動される。
【００１５】
各プロセスカートリッジ１０３Ｙ〜Ｋは、同様の構成である。従って、以下、代表してプロセスカートリッジ１０３Ｙの構成について説明する。プロセスカートリッジ１０３Ｙの感光体ドラム１０４Ｙの周囲には、現像装置１０５Ｙ、一次帯電器１０９Ｙ、ドラムクリーナ１１２Ｙが配置されている。一次帯電器１０９Ｙは、帯電バイアス電源（図示省略）から印加される帯電バイアスによって感光体ドラム１０４Ｙの表面を負極性の所定電位に帯電する。
【００１６】
現像装置１０５Ｙは、現像剤としてのトナーを内蔵し、感光体ドラム１０４Ｙ上に、後述するレーザ露光装置１０８によって形成される静電潜像にイエロー色のトナーを供給してトナー像として可視化する。現像装置１０５Ｙは、装置本体に対して着脱自在に構成されたトナーボトル１３０Ｙと連結している。トナーボトル１３０Ｙは、対応する現像装置１０５Ｙにイエロー色のトナーを補給する。ドラムクリーナ１１２Ｙは、クリーニングブレード等を有しており、中間転写ベルト１０１へのトナー像の転写後に感光体ドラム１０４Ｙ上に残留したトナーを回収、除去する。
【００１７】
プロセスカートリッジ１０３Ｙは、また、レーザ露光装置１０８を備えている。レーザ露光装置１０８は、一次帯電器１０９Ｙと現像装置１０５Ｙとの間の下方からレーザ光を照射して感光体ドラム１０４Ｙを露光する。レーザ露光装置１０８は、与えられる画像情報の時系列電気デジタル画素信号に対応した発光を行うレーザ発光手段として機能する。レーザ露光装置１０８は、感光体ドラム１０４Ｙをはじめ各感光体ドラム１０４Ｍ〜Ｋを露光することによって、各感光体ドラム１０４Ｙ〜Ｋの表面に画像情報に応じた静電潜像を形成する。
【００１８】
プロセスカートリッジ１０３Ｙ〜Ｋの各感光体ドラム１０４Ｙ〜Ｋとそれぞれ当接して回転するように中間転写ベルト１０１が配置されている。中間転写ベルト１０１は、二次転写対向ローラを兼ねる駆動ローラ１１６をはじめとする複数のローラによって回転可能に張架されている。中間転写ベルト１０１を介して駆動ローラ１１６と対向するように二次転写ローラ１１７が配置されている。駆動ローラ１１６と二次転写ローラ１１７との当接部が二次転写部Ｔｅとなる。
【００１９】
中間転写ベルト１０１を介して各感光体ドラム１０４Ｙ〜Ｋとそれぞれ対向するように中間転写ベルト１０１の内側に一次転写ローラ１１４Ｙ〜Ｋが配置されている。一次転写ローラ１１４Ｙ〜Ｋは、それぞれ感光体ドラム１０４Ｙ〜Ｋに向けて付勢可能に構成されている。感光体ドラム１０４Ｙ〜Ｋ上で現像されたトナー像は、それぞれ一次転写ローラ１１４Ｙ〜Ｋの作用により中間転写ベルト１０１に転写される。
【００２０】
画像形成装置１００の下部には、用紙（シート）Ｐを収容する用紙収容部１２１が配置されている。そして、画像形成装置１００は、用紙収容部１２１に収容された用紙Ｐを用紙搬送路１４０を通って二次転写部Ｔｅまで搬送し、その後、二次転写部Ｔｅで中間転写ベルト１０１上のトナー像が用紙Ｐに転写される。用紙搬送路１４０は、用紙Ｐが用紙収容部１２１から上方に向かって搬送される縦パス構成となっており、レジストローラ１２３及び用紙Ｐを排紙トレイ１２５に排紙する排紙ローラ１２４を備えている。
【００２１】
用紙搬送路１４０における二次転写部Ｔｅの下流側には、定着装置１５０が配置されている。定着装置１５０は、定着ローラ１１８と加圧ローラ１１９を備えている。画像形成装置１００の上部には、原稿読取装置１２０、及びユーザが当該画像形成装置１００を操作するためのユーザーインターフェース（ＵＩ）１２６が設けられている。
【００２２】
次に、図１の画像形成装置１００の制御構成について説明する。
【００２３】
図２は、図１の画像形成装置の制御構成を示すブロック図である。図２において、画像形成装置１００は、制御部としての制御基板２００を備えている。制御基板２００には、ＣＰＵ２０１が内蔵されている。
【００２４】
ＣＰＵ２０１は、ＡＳＩＣ２０２、ＲＴＣ２０４、ＲＯＭ２０６、ＲＡＭ２０７、ＥＥＰＲＯＭ２０８とそれぞれアドレスバス又はデータバスで接続されている。また、ＣＰＵ２０１は、ＲＴＣ２０４を介して電池２０９と接続されており、ＥＥＰＲＯＭ２０８を介して停電検知部２０３と接続されている。停電検知部２０３は、電源３００を介して商用電源の出力を監視している。また、ＣＰＵ２０１は、ＡＳＩＣ２０２を介して定着着脱機構２１３及び一次転写着脱機構２１４とそれぞれ接続されている。
【００２５】
ＣＰＵ２０１は、ＡＳＩＣ２０２を介して定着着脱機構２１３及び一次転写着脱機構２１４に駆動信号を発行し、定着ローラ１１８と加圧ローラ１１９を加圧又は離間させ、一次転写ローラ１１４と感光体ドラム１０４を加圧又は離間させる。電源３００は、商用電源からＤＣ電源を生成して制御基板２００に供給する。図においては、電源３００から制御基板２００への１系統の電源供給線を記載してあるが、電源３００から制御基板２００へ電源を供給する電源系統は必ずしも１つに限定されるものではない。また、停電検知部２０３は、例えば、電源３００の出力系統のうちの、商用電源からの電源供給に連動する電源系統である常夜電源の出力部に接続されている。常夜電源とは、画像形成装置１００のメインスイッチがオフであっても当該画像形成装置１００に供給される直流電源をいう。
【００２６】
電源３００からの電源入力部分を構成する停電検知部２０３は、電源３００から制御基板２００へ入力される入力電圧を検知し、また、電源が遮断されることによって発生する停電も検出する。電池２０９は、電源３００からの電力供給が無くなった場合でもＲＴＣ２０４を動作可能に保持するものであり、ＲＴＣ２０４へ電力を供給する。ＲＴＣ２０４は、時計機能を備えている。ＲＯＭ２０６は、ＣＰＵ２０１で実行される各種プログラムを格納する。また、ＲＡＭ２０７は、ＣＰＵ２０１がプログラムを実行する際にデータを記憶する記憶部として機能する。
【００２７】
次に、このような構成の画像形成装置１００の動作について説明する。
【００２８】
原稿読取装置１２０が原稿画像を読み取り、画像形成開始信号が発せられると、プロセスカートリッジ１０３Ｙ〜Ｋの各感光体ドラム１０４Ｙ〜Ｋは、所定のプロセススピードで回転し、対応する一次帯電器１０９Ｙ〜Ｋによって一様に負極性に帯電される。感光体ドラム１０４Ｙ〜Ｋが一様に帯電された後、レーザ露光装置１０８が、カラー色分解された画像信号に従ってレーザ発光素子からレーザ光を照射し、各感光体ドラム１０４Ｙ〜Ｋ上に各色に対応する静電潜像を形成する。
【００２９】
感光体ドラム１０４Ｙ〜Ｋ上に形成された静電潜像に対し、対応する現像装置１０５Ｙ〜Ｋがそれぞれ対応する色のトナーを供給してトナー像として可視化する。このとき、現像装置１０５Ｙ〜Ｋには、感光体ドラム１０４Ｙ〜Ｋの帯電極性（負極性）と同極性の現像バイアスが印加される。形成されたトナー像は、それぞれトナーと逆極性の一次転写バイアスが印加された一次転写ローラ１１４Ｙ〜Ｋによって中間転写ベルト１０１に転写される。中間転写ベルト１０１に転写されたトナー像は、順次重ね合わせられてフルカラーのトナー像を形成する。このとき、各感光体ドラム１０４Ｙ〜Ｋ上に残留した転写残トナーは、対応するドラムクリーナ１１２Ｙ〜Ｋのクリーナブレードによって掻き落とされ、回収される。
【００３０】
中間転写ベルト１０１上に形成されたフルカラーのトナー像は、当該中間転写ベルト１０１の回転によって、二次転写部Ｔｅまで移動する。このとき、トナー像の先端が二次転写部Ｔｅに移動するタイミングに合わせて、用紙収容部１２１又は手差しトレイ１２２から給送された用紙Ｐがレジストローラ１２３によって二次転写部Ｔｅまで搬送される。次いで、トナーと逆極性の二次転写バイアス（正極性）が印加された二次転写ローラ１１７によって中間転写ベルト１０１上のトナー像が用紙Ｐに転写される。二次転写時に中間転写ベルト１０１上に残留した残留トナーは、転写クリーニング装置１０７によって掻き落とされ、廃トナーとして回収される。
【００３１】
フルカラーのトナー像が形成された用紙Ｐは、定着装置１５０に搬入され、定着ローラ１１８と加圧ローラ１１９との間の定着ニップ部でフルカラーのトナー像が加熱、加圧されて用紙Ｐに熱定着される。トナー像が定着された用紙Ｐは、排紙ローラ１２４によって本体上面の排紙トレイ１２５上に排紙される。
【００３２】
次に、図１の画像形成装置で実行される停電発生処理について説明する。
【００３３】
図３は、図１の画像形成装置で実行される第１の停電発生処理の手順を示すフローチャートである。この停電発生処理は、画像形成装置１００に供給される商用電源が停電した際に、制御基板２００のＣＰＵ２０１が、ＲＯＭ２０６に格納された第１の停電発生処理プログラムに従って実行する。
【００３４】
図３において、第１の停電発生処理は、画像形成装置１００に供給される電源が遮断されたことによって開始する。すなわち、停電が発生すると、ＣＰＵ２０１は、停電検知部２０３を介して電圧低下を検知する（ステップＳ１０１）。次いで、ＣＰＵ２０１は、検知結果に基づいて停電検知部２０３を介して停電発生時刻と紐付けてＥＥＰＲＯＭ２０８に停電発生フラグを立てる（ステップＳ１０２）。
【００３５】
ここで、停電検知部２０３における停電検知動作について説明する。
【００３６】
上述したように、停電検知部２０３は、常夜電源の出力部、換言すると、制御基板２００における電源入力部に接続されている。
【００３７】
常夜電源の出力は、例えば、１２Ｖである。従って、停電検知部２０３は、制御基板２００に入力される常夜電源１２Ｖが停電によって下がり始め、所定の閾値電圧、例えば１０Ｖ以下に低下したことを検知するように設定されている。閾値電圧は、通常、常夜電源１２Ｖによって駆動されるデバイスに支障が生じない最低作動電圧よりも高く設定される。
【００３８】
具体的には、例えば、常夜電源１２Ｖが供給されるＤＣＤＣコンバータの低電圧誤動作防止機能が７．５Ｖで動作する場合、それ以上の電圧値を用いて供給電圧が低下したことを検出できるように閾値電圧が設定されている。従って、閾値電圧は、画像形成装置１００が正常な動作をしており、商用電源が正常に供給されている状態では検出されない電圧である。停電検知部２０３は、閾値電圧よりも低い電圧を検知した場合に停電が発生したと判断し、停電発生フラグをＥＥＰＲＯＭ２０８に記憶させる。また、このとき、停電検知部２０３は、合せてＲＴＣ２０４の日時情報をＥＥＰＲＯＭ２０８に記憶させる。
【００３９】
そして、ＣＰＵ２０１は、過去の停電情報と照らし合わせ、所定期間内に停電が何回発生しているかという停電発生頻度をカウントする。例えば、過去１０分間で５回を超える停電が発生している場合、ＣＰＵ２０１は、画像形成装置１００が高頻度に停電が発生する地域に設置されているものと判断する。
【００４０】
画像形成装置１００の設置地域の電源事情が良くなくて、停電が頻繁に発生する場合、例えば、ＨＤＤをはじめとする機器の電源が何度も強制的にＯＦＦ／ＯＮさせられることになり、故障のリスクが高まる。また、電源オン後の準備動作が何度も実行されることになり、感光体等の寿命の短縮につながる。そのため、ＣＰＵ２０１は、画像形成装置１００が停電の発生頻度が高い地域に設置されていると判断した場合、停電復旧時に、画像形成装置１００が自動的に立ち上がらないように、ＥＥＰＲＯＭ２０８の自動復帰機能フラグをＯＦＦに設定する。
【００４１】
自動復帰機能フラグをＯＦＦに設定することによって、停電の発生頻度が高い地域に画像形成装置１００を設置した場合であっても、電源のＯＮ／ＯＦＦを繰り返すことによるＨＤＤ等の故障や構成部品の寿命の短縮のリスクを低減することができる。また、電源事情が改善されて停電の発生頻度が低くなった場合、例えば、１日の間に１度も停電が発生しなかった場合等には、ＣＰＵ２０１は、自動復帰機能フラグを再びＯＮに設定する。これによって、次回停電が発生した際に画像形成装置１００が自動的に立ち上がり、画像形成装置１００を、例えばＦＡＸ受信等に備えてできる限り受信状態で待機させることが可能となる。なお、自動復帰機能フラグは、ユーザ又はサービスマンが独自に設定できるようにしておくこともできる。
【００４２】
次に、通電が遮断された通電断時刻と、停電が発生したした際に、停電検知部２０３によってＥＥＰＲＯＭ２０８に記憶される停電発生フラグ、及び自動復帰機能フラグとの関係について説明する。
【００４３】
図４は、通電断時刻と停電発生フラグ及び自動復帰機能フラグとの関係を示す図であり、停電検知部２０３の検知結果の履歴が示されている。
【００４４】
図４の（ａ）において、停電発生フラグが「０」となっている時刻では、画像形成装置１００の電源が正常にシャットダウンされることによって電源がオフされており、停電は発生していないことが分かる。
【００４５】
一方、「２０＊＊／０１／０８  １０：１２」から「２０＊＊／０１／０８  １０：１４」の間の３つの停電発生フラグが「１」となっていることから、この間に停電が３回発生していることが分かる。しかし、単位時間当たり、例えば１０分当たりの停電発生回数が、所定の閾値である、例えば５回を超えていないので、停電復旧時に画像形成装置１００を自動復帰させるための自動復帰機能フラグはＯＮに設定されたままである。
【００４６】
また、「２０＊＊／０１／１３  １４：１５」から「２０＊＊／０１／１３  １４：２３」の間の６つの停電発生フラグが「１」となっている。これによって、この間に停電が６回発生しており、１０分間の停電発生回数は、所定の閾値である５回を超えていることが分かる。従って、ここでは、画像形成装置１００を自動復帰させた場合の装置本体に与えるダメージを考慮して、停電が復旧しても画像形成装置１００が自動復帰しないように、２０＊＊／０１／１３  １４：２３における自動復帰機能フラグはオフに設定されている。
【００４７】
ＥＥＰＲＯＭ２０８には、図４（ａ）の情報を全て記憶させておくこともできる。しかしながら、記憶容量に制限がある場合は、図４（ｂ）のように、停電発生機能フラグが立っているときの情報のみをＥＥＰＲＯＭ２０８に格納しておくことによって情報量を減らしながら、同様の機能を実現することができる。
【００４８】
図５は、画像形成装置における停電発生時の装置状態と、停電復旧時の装置状態を比較して示す図である。なお、図５は、停電の復旧がユーザの操作を介することなく自動的に行われる場合を示すものである。
【００４９】
図５において、停電発生時、画像形成装置１００が電源ＯＦＦの状態であれば、停電が復旧した場合も画像形成装置１００は電源ＯＦＦの状態で復帰する。一方、電源がＯＮの起動状態であって、画像形成装置１００の装置状態がスタンバイ状態で停電が発生した場合、停電復旧後、画像形成装置１００はスタンバイ状態で復帰する。また、画像形成装置１００がプリント中又はスリープ中に停電が発生した場合、停電復旧後、画像形成装置１００は、プリント状態（動作状態）又はスリープ状態でなく、スタンバイ状態で復帰する。
【００５０】
すなわち、停電が復旧した場合、画像形成装置１００は、基本的に停電発生時の状態で復帰するが、停電時に電源がＯＮであった場合は、停電時の装置状態に拘らず、停電復旧後、画像形成装置１００は、スタンバイ状態で復帰するように設定されている。スタンバイ状態とは、印刷開始の準備が整い、印刷ジョブの設定又は指示を待っている通電状態をいう。また、スリープ状態とは、一定時間ジョブの設定又は指示がなく、電源の供給が停止された省電力状態をいう。
【００５１】
次に、停電時及び停電復帰時の停電検知部２０３の動作についてタイミングチャートを用いて説明する。図６は、停電時及び停電復旧時の停電検知部２０３の動作を示すタイミングチャートである。
【００５２】
図６において、常夜電源（１２Ｖ）が閾値電圧１０Ｖを下回った場合、停電検知部２０３は、停電が発生したと判断して停電検知フラグを立て、そのフラグ情報をＥＥＰＲＯＭ２０８に書き込む。このとき、電圧は低下し続けているが、書き込みに必要な電圧を下回るまでに書き込みは終了するように設定されている。なお、ＥＥＰＲＯＭ２０８からの情報の読み出しは、ＣＰＵ２０１によって行われる。
【００５３】
図３に戻り、停電を検知して停電発生フラグを立てた後（ステップＳ１０２）、ＣＰＵ２０１は、処理をステップＳ１０３に進める。すなわち、ＣＰＵ２０１は、ＥＥＰＲＯＭ２０８に記憶された停電発生フラグと停電発生時刻から、過去の所定時間内、例えば１０分間に停電が何回発生したか計数する（ステップＳ１０３）。この場合、所定時間は、必ずしも１０分間である必要はなく、停電発生頻度を効率よく求めることができる時間であれは、任意に決定してもよい。停電発生回数を計数した後（ステップＳ１０３）、ＣＰＵ２０１は、１０分間の停電回数が閾値である５回を超えたか否か判定する（ステップＳ１０４）。この場合、停電回数の閾値は、必ずしも５回である必要はなく、停電の頻度を効率よく求めることができる回数であれは、任意に決定してもよい。
【００５４】
ステップＳ１０４の判定の結果、１０分間の停電回数が５回を超えた場合（ステップＳ１０４で「ＹＥＳ」）、ＣＰＵ２０１は、ＥＥＰＲＯＭ２０８に記憶された自動復帰機能フラグをＯＦＦにする（ステップＳ１０５）。
【００５５】
自動復帰機能フラグをＯＦＦにした後（ステップＳ１０５）、ＣＰＵ２０１は、画像形成装置１００の電源が落ちたか否か判定する（ステップＳ１０６）。ステップＳ１０６の判定の結果、画像形成装置１００の電源が落ちた場合（ステップＳ１０６で「ＹＥＳ」）、ＣＰＵ２０１は、本停電発生処理を終了する。一方、ステップＳ１０６の判定の結果、画像形成装置１００の電源が落ちていない場合（ステップＳ１０６で「ＮＯ」）、ＣＰＵ２０１は、処理をステップＳ１０１に戻し、次回の停電に備える。
【００５６】
また、ステップＳ１０４の判定の結果、１０分間の停電回数が閾値以下であった場合（ステップＳ１０４で「ＮＯ」）、ＣＰＵ２０１は、自動復帰機能フラグをＯＦＦにすることなく、処理をステップＳ１０６に進める。
【００５７】
図３の処理によれば、１０分間の停電回数が閾値である５回を超えた場合は、自動復帰機能フラグをＯＦＦにするので、停電が復旧しても、停電と自動復帰を頻繁に繰り返すことによる、ＨＤＤ等の機器の損傷や寿命の短縮を抑制することができる。また、停電回数が閾値を超えるまでは、停電復旧後に画像形成装置１００を自動復帰させるので、ＦＡＸ受信機能等を確保したいというユーザの要求に応えることができ、使い勝手がよくなる。
【００５８】
本実施の形態において、停電検知後（ステップＳ１０１）、ステップＳ１０２〜Ｓ１０５までの処理が実行されるが、停電発生後、供給電圧が落ちるまでにこれらの処理が終了するように、例えばコンデンサの容量等が設定されている。
【００５９】
次に、停電発生後、停電が復旧する際の停電復旧処理について説明する。
【００６０】
図７は、図１の画像形成装置で実行される第１の停電復旧処理の手順を示すフローチャートである。この停電復旧処理は、画像形成装置１００の電源が停電によって停止した後、復旧した際に実行される処理であり、制御基板２００のＣＰＵ２０１が、ＲＯＭ２０６に格納された第１の停電復旧処理プログラムに従って実行する。
【００６１】
図７において、第１の停電復旧処理は、ＣＰＵ２０１が、停電発生後、電力の供給が再開されたことを検知することによって開始される（ステップＳ２０１）。電力の供給が再開されたことを検知した後、ＣＰＵ２０１は、ＥＥＰＲＯＭ２０８のデータを確認して自動復帰機能フラグが立っているか否か判定する（ステップＳ２０２）。ステップＳ２０２の判定の結果、自動復帰機能フラグが立っている場合（ステップＳ２０２で「ＹＥＳ」）、ＣＰＵ２０１は、画像形成装置１００の通常の立ち上げシーケンスを開始する（ステップＳ２０３）。画像形成装置１００の立ち上げシーケンスを開始した後（ステップＳ２０３）、ＣＰＵ２０１は、停電発生時のステータス（画像形成装置１００の状態）を確認する（ステップＳ２０４）。停電発生時の装置状態を確認するのは、上述の図５で説明したように、停電時の画像形成装置１００の状態に応じて、立ち上げ時の状態が決定されるからである。
【００６２】
停電時の装置状態を確認した後、ＣＰＵ２０１は、画像形成装置１００を、図５における停電時に対応する停電復旧時の状態へ移行させ（ステップＳ２０５）、その後、本処理を終了する（ステップＳ２０６）。
【００６３】
一方、ステップＳ２０２の判定の結果、自動復帰機能フラグが立っていない場合（ステップＳ２０２で「ＮＯ」）、ＣＰＵ２０１は、処理をステップＳ２０６に進める。すなわち、ＣＰＵ２０１は、停電発生後、停電が復旧しても画像形成装置１００は自動復帰しない旨をユーザインターフェース（ＵＩ）１２６の表示画面に表示して報知する（ステップＳ１０６）。これによって、ユーザは、停電が復旧しても画像形成装置１００が自動的に復帰しない設定であることを認識することができる。ユーザインターフェース（ＵＩ）１２６の表示画面にメッセージを表示した後（ステップS１０６）、ＣＰＵ２０１は、本処理を終了する。
【００６４】
図７の処理によれば、停電が復旧した際、自動復帰機能フラグがＯＮであれば、停電発生時の状態に応じて画像形成装置１００を適正な状態に復帰させることができるので、ユーザの使い勝手が向上する。
【００６５】
本実施の形態によれば、図３の停電発生処理において、停電が発生したために実行できなかったステップＳ１０５に続く処理として、ＵＩ１２６の表示画面に、停電が復旧しても装置は自動復帰しない旨のメッセージを表示する。これによって、自動復帰しない設定であることを認識したユーザは、その後、独自の判断で、自動復帰機能フラグを立てるように設定することもできる。
【実施例２】
【００６６】
次に、第２の実施の形態について説明する。
【００６７】
第２の実施の形態に係る画像形成装置のハード構成は、第１の実施の形態に係る画像形成装置１００のハード構成と同様である。
【００６８】
図８は、第２の実施の形態で実行される第２の停電発生処理の手順を示すフローチャートである。この停電発生処理は、制御基板２００のＣＰＵ２０１がＲＯＭ２０６に格納された第２の停電発生処理プログラムに従って実行する。
【００６９】
図８において、第２の停電発生処理は、第１の停電発生処理と同様、ＣＰＵ２０１が、停電検知部２０３を介して停電が発生したことを検知することによって開始する（ステップＳ３０１）。停電が発生したことを検知するとＣＰＵ２０１は、停電検知部２０３を介して発生時刻と紐付けてＥＥＰＲＯＭ２０８に停電発生フラグを立てる（ステップＳ３０２）。次いで、ＣＰＵ２０１は、画像形成装置１００の電源が落ちたか否か判定する（ステップＳ３０３）。ステップＳ３０３の判定の結果、画像形成装置１００の電源が落ちた場合（ステップＳ３０３で「ＹＥＳ」）、ＣＰＵ２０１は、本処理を終了する。
【００７０】
一方、ステップＳ３０３の判定の結果、画像形成装置１００の電源が落ちていない場合（ステップＳ３０３で「ＮＯ」）、ＣＰＵ２０１は、処理をステップＳ３０１に戻し、次の停電に備える。
【００７１】
図８の処理によれば、画像形成装置１００に供給される電源が停電した場合、停電発生時刻と紐付けてＥＥＰＲＯＭ２０８に停電発生フラグを立てるので（ステップＳ３０２）、記録された情報を用いてその後の処理を的確に実行することができる。
【００７２】
本実施の形態において、停電検知後の処理数は、第１の実施の形態（図３）に比べて少なくなっている。これは、停電検知後は、制御基板２００に供給される電源が時間の経過とともに落ちるので、多くの処理を実行できないことを考慮したものである。
【００７３】
次に、停電が復旧する際の停電復旧処理について説明する。
【００７４】
図９は、第２の実施の形態で実行される第２の停電復旧処理の手順を示すフローチャートである。この停電復旧処理は、制御基板２００のＣＰＵ２０１が、ＲＯＭ２０６に格納された第２の停電復旧処理プログラムに従って実行する。
【００７５】
図９において、第２の停電復旧処理は、ＣＰＵ２０１が、停電後、電力の供給が再開されたことを検知することによって開始される（ステップＳ４０１）。電力の供給が再開されたことを検知した後（ステップＳ４０１）、ＣＰＵ２０１は、停電検知部２０３を通してＥＥＰＲＯＭ２０８のデータを確認し、自動復帰機能フラグが立っているか否か判定する（ステップＳ４０２）。ステップＳ４０２の判定の結果、自動復帰機能フラグが立っている場合（ステップＳ４０２で「ＹＥＳ」）、ＣＰＵ２０１は、画像形成装置１００の通常の立ち上げシーケンスを開始する（ステップＳ４０３）。画像形成装置１００の立ち上げシーケンスを開始した後（ステップＳ４０３）、ＣＰＵ２０１は、ＥＥＰＲＯＭ２０８に保存された停電発生フラグと停電発生時刻に基づいて、過去１０分間に停電が何回発生したかカウントする（ステップＳ４０４）。所定時間は、必ずしも１０分間である必要はなく、停電の頻度を求めることができる時間であれは、任意に決定してもよい。
【００７６】
停電発生回数をカウントした後（ステップＳ４０４）、ＣＰＵ２０１は、所定時間（１０分）内の停電回数が５回を超えたか否か判定する（ステップＳ４０５）。ステップＳ４０５の判定の結果、停電回数が５回を超えていた場合（ステップＳ４０５で「ＹＥＳ」）、ＣＰＵ２０１は、ＥＥＰＲＯＭ２０８の自動復帰機能フラグをＯＦＦにする（ステップＳ４０６）。
【００７７】
自動復帰機能フラグをＯＦＦにした後（ステップＳ４０６）、ＣＰＵ２０１は、停電が発生した後、復旧しても画像形成装置１００は自動的に復帰しない旨をユーザインターフェース（ＵＩ）１２６の表示画面に表示する（ステップＳ４０７）。次いで、ＣＰＵ２０１は、停電発生時のステータス（画像形成装置の状態）を確認する（ステップＳ４０８）。
【００７８】
画像形成装置の状態を確認した後、ＣＰＵ２０１は、停電発生時の状態に応じて予め設定された図５の状態となるように画像形成装置１００を立ち上げ（ステップＳ４０９）、本処理を終了する。
【００７９】
一方、ステップＳ４０５の判定の結果、所定時間内の停電回数が５回以下であった場合（ステップＳ４０５で「ＮＯ」）、ＣＰＵ２０１は、自動復帰機能フラグをＯＦＦにすることなく、処理をステップＳ４０８に進める。また、ステップＳ４０２の判定の結果、自動復帰機能フラグがＯＮでない場合（ステップＳ４０２で「ＮＯ」）、ＣＰＵ２０１は、本停電復旧処理を終了する。
【００８０】
図９の処理によれば、自動復帰機能フラグがＯＮであっても、頻繁に停電が発生する場合は、自動復帰機能フラグをＯＦＦに設定して（ステップＳ４０６）、停電が復旧しても画像形成装置１００が自動復帰しないようにする。これによって、上記実施の形態と同様、停電と自動復帰を頻繁に繰り返すことによる、ＨＤＤ等の構成機器の損傷や部品の寿命低下を抑制することができる。
【符号の説明】
【００８１】
１００  画像形成装置
１０３Ｙ〜Ｋ  プロセスカートリッジ
１０４Ｙ〜Ｋ  感光体ドラム
１２６  ユーザインターフェース（ＵＩ）
２００  制御基板
２０１  ＣＰＵ
２０３  停電検知部
２０４  ＲＴＣ
２０６  ＲＯＭ
２０８  ＥＥＰＲＯＭ
３００  電源
【図１】
2019139492.tif 000003
【図２】
2019139492.tif 000004
【図３】
2019139492.tif 000005
【図４】
2019139492.tif 000006
【図５】
2019139492.tif 000007
【図６】
2019139492.tif 000008
【図７】
2019139492.tif 000009
【図８】
2019139492.tif 000010
【図９】
2019139492.tif 000011